(57)【要約】【課題】火災時に枠体の室内側が火炎に晒されても、枠体と障子との間で室内外が連通することを抑制する。【解決手段】  戸袋と、障子を、備えており、戸袋は、室外側の見付壁と、室内側の見付壁と、見込壁を有している。戸袋の一方側の見付壁の内側に一方側の見付壁の内側面を覆う補強部材が配置されるとともに、補強部材の外側面に加熱膨張材を設けた。【選択図】図８
2019151980.tif 000002
【特許請求の範囲】
【請求項１】
戸袋と、障子を、備え、
戸袋は、室外側の見付壁と、室内側の見付壁と、見込壁を有し、
戸袋の一方側の見付壁の内側に一方側の見付壁の内側面を覆う補強部材が配置されるとともに、補強部材の外側面に加熱膨張材を設けた
防火建具。
【発明の詳細な説明】
【技術分野】
【０００１】
本発明は、建物開口部に配置される防火建具に関する。
【背景技術】
【０００２】
建物開口部に配置される建具として、一辺に戸袋を備える枠体に対して、障子を摺動自在に配置してなる建具が公知となっている。（特許文献１）。
【先行技術文献】
【特許文献】
【０００３】
【特許文献１】特開２００４−１１３３５号
【発明の概要】
【発明が解決しようとする課題】
【０００４】
上記特許文献１の建具は、枠体の室外側に格子等を配置してなるが、火災時には、格子等を構成する枠体の室外側が熱によって溶解して、枠体と障子との間で室内外が連通する危険性があった。
【０００５】
本発明は、上記の事情を鑑み、火災時に枠体が火炎に晒されても、枠体と障子との間で室内外が連通することを抑制することを目的とする。
【課題を解決するための手段】
【０００６】
本発明の一実施形態は、戸袋と、障子を、備え、戸袋は、室外側の見付壁と、室内側の見付壁と、見込壁を有し、戸袋の一方側の見付壁の内側に一方側の見付壁の内側面を覆う補強部材が配置されるとともに、補強部材の外側面に加熱膨張材を設けた防火建具である。
【発明の効果】
【０００７】
本実施形態の建具の構成により、火災時に枠体の室内側が火炎に晒されても、枠体と障子との間で室内外が連通することを抑制することができる。
【図面の簡単な説明】
【０００８】
【図１】本発明の一実施形態の建具の内観姿図であり、（ａ）は全体の内観姿図、（ｂ）は採風開口部を開口した状態の内観姿図である。
【図２】本発明の一実施形態の建具の竪断面図である。
【図３】本発明の一実施形態の建具の横断面図である。
【図４】本発明の一実施形態の建具の上辺部分の竪断面図である。
【図５】本発明の一実施形態の建具の下辺部分の竪断面図である。
【図６】本発明の一実施形態の建具の左辺部分の横断面図である。
【図７】本発明の一実施形態の建具の右辺部分の横断面図である。
【図８】本発明の一実施形態の建具の右辺部分の一部の横断面図である。
【図９】本発明の一実施形態の建具の火災時における右辺部分の一部の横断面図である。
【発明を実施するための形態】
【０００９】
本発明の一実施形態の防火建具について、図面を参考に説明する。
本発明の一実施形態に係る防火建具は、図１（ａ）に示すように、建物開口部の内周面に配置される枠体１の内側にヒンジ１ａにより開閉可能に支持されたドア２と、ドア２に摺動自在に内装された障子３を備える。
ドア２は、右竪ドア枠２４にドア２を開閉するためのハンドル２４ａが設けられ、ハンドル２４ａの内周側には障子３の右辺部を収容する戸袋６を備えている。
そして、障子３を摺動させて右方へ移動させることで障子３の右辺部分が戸袋６内に収納され、図１（ｂ）に示すように、ドア２の左部分に採風開口部７が形成される。
【００１０】
図２及び３に示すように、枠体１は、上，下枠１１，１２と左，右竪枠１３，１４を備えており、各枠材は、アルミ合金等の金属材料からなる室外側枠材１１１，１２１，１３１，１４１と合成樹脂等からなる室内側枠材１１２，１２２，１３２，１４２を有している。
【００１１】
ドア２は、上，下ドア枠２１，２２と左、右竪ドア枠２３，２４を備え、各ドア枠の内周が開口部として形成されており、ドア２の各ドア枠の内周に形成された開口部には、障子３が摺動自在に内装されている。
右竪ドア枠２４にドア２を開閉する操作するハンドル２４ａが設けられており、ハンドル２４ａの内周側に障子３を収容する戸袋６を有している。
また、ドア２の開口部の室外側面には、網戸４が設けられている。
【００１２】
障子３は、上，下框３１，３２と左，右竪框３３，３４を備え、各框の内周に複層パネル等のパネル３５が配置されている。障子３の上框３１は、戸車３１ａを有し上ドア枠２１に設けられたレール２１ａ上に走行自在に載置されており、障子３の下框３２は、下ドア枠２２に配置されたガイドローラ２２ａによって案内されている。
障子３の右竪框３４はドア２の右竪ドア枠２４に設けられた戸袋６内に位置しており、左竪框３３には、被ロック部３３ａが設けられ、左竪ドア枠２３に配置されたロック部材２３ａを係合することで、障子３がドア２の採風開口部７を閉鎖した状態でロックされる。（なお、図１においては、ロック部材２３ａ及び被ロック部３３ａは省略している。）
【００１３】
−上辺部分−
本実施形態の建具の上辺部分について、図４を参考に、以下に説明する。
上枠１１の室外側枠材１１１の室外側には、ドア２の上ドア枠２１に当接する気密材が取り付けられており、内周面には、加熱膨張材がホルダーによって保持されている。また、上枠１１の室内側枠材１１２の室外側面には、ドア２の上ドア枠２１の室内側面に当接する気密材が取り付けられており、気密材の上方位置から室内側部材の内周は、室外側枠材１１１にビス等で固定されたステンレス等の金属材料からなる補強部材によって覆われている。
【００１４】
ドア２の上ドア枠２１は、上ドア枠本体２１１と、上ドア枠本体２１１の室内側に取り付けられた室内側上ドア枠２１２と、上ドア枠本体２１１の室外側に取り付けられた室外側上ドア枠２１３を備えている。
上ドア枠本体２１１は、アルミ合金等の金属材料からなり、外周側（上方）に上枠１１の室外側枠材１１１に取り付けられた気密材が当接する突出片を有するとともに、障子３の戸車３１ａを案内するレール２１ａを有している。また、上ドア枠本体２１１の室外側上端には、気密材が配置されている。
【００１５】
室内側上ドア枠２１２は、樹脂材料からなり、上ドア枠本体２１１の室内側面を覆い、上ドア枠２１の室内側壁面を形成している。室内側上ドア枠２１２の上面は、上ドア枠本体２１１にビス等で固定されたステンレス等の金属材料からなる補強部材により覆われており、補強部材の上面に加熱により膨張する加熱膨張材が配置されている。
【００１６】
室外側上ドア枠２１３は、アルミ合金等の金属材料からなり、上方部位に上ドア枠本体２１１と係合する係合部を有し、上ドア枠本体２１１に係合することで、上ドア枠２１の室外側壁面を形成している。室外側上ドア枠２１３の室内側面には、長手方向に２条のホルダー２１３ａ，２１３ｂが形成されており、２条のホルダー２１３ａ，２１３ｂ及び両ホルダー間には、加熱により膨張する加熱膨張材が配置されている。
【００１７】
上ドア枠２１の室外側に、網戸４の網戸上枠４１が配置されている。網戸上枠４１は、中矩形状を有し、網戸上枠４１の室内側面に上ドア枠２１の上ドア枠本体２１１と室外側上ドア枠２１３との係合部分に対向するように加熱膨張材が配置されている。
【００１８】
障子３の上框３１は、アルミ合金等の金属材料からなり中空部を有する室外側上框３１１と、樹脂材料からなり中空部を有する室内側上框３１２と、アルミ合金等の金属材料からなり室外側上框３１１の室外側下面に取り付けられる押縁３１３を有し、室外側上框３１１の中空部内にはスチール等の金属材料からなる補強部材が配置されている。上框３１の内周にパネル３５を保持するパネル間口が形成され、パネル間口内に、室内側上框３１２の内周面を覆うステンレス等の金属材料からなる補強部材が室外側上框３１１及び室外側上框３１１内に配置された補強部材にビス等で固定されて配置されている。
【００１９】
−下辺部分−
本実施形態の建具の下辺部分について、図５を参考に、以下に説明する。
下枠１２の室外側枠材１２１の室外側には、ドア２の下ドア枠２２に当接する気密材が取り付けられている。また、下枠１２の室内側枠材１２２の室外側には、ドア２の下ドア枠２２の室内側面に当接する気密材が取り付けられている。
【００２０】
ドア２の下ドア枠２２は、下ドア枠本体２２１と、下ドア枠本体２２１の室内側に取り付けられた室内側下ドア枠２２２と、下ドア枠本体２２１の室外側に取り付けられた室外側下ドア枠２２３を備えている。
下ドア枠本体２２１は、アルミ合金等の金属材料からなり、中空部を有しており、外周側（下方）に下枠１２の室外側枠材１２１に取り付けられた気密材が当接する突出片を有している。中空部内にスチール等の金属材料からなる補強部材が配置されており、内周側（上方）には、障子３を案内するガイドローラ２２ａが固定されている。なお、ガイドローラ２２ａは、中空部内の補強部材に固定することで、さらに強固に固定することができる。
【００２１】
室内側下ドア枠２２２は、樹脂材料からなり、下ドア枠本体２２１の室内側面を覆い、下ドア枠２２の室内側壁面を形成している。室内側下ドア枠２２２の下面は、下ドア枠本体２２１にビス等により固定されたステンレス等の金属材料からなる補強部材により覆われている。
【００２２】
室外側下ドア枠２２３は、アルミ合金等の金属材料からなり、下方部位に下ドア枠本体２２１と係合する係合部を有している。そして、室外側下ドア枠２２３は、係合部が下ドア枠本体２２１に係合されるとともに、ビス等により固定され、下ドア枠２２の室外側壁面を形成している。なお、室外側下ドア枠２２３は、下ドア枠本体２２１の中空部内の補強部材に固定することで、さらに強固に固定することができる。
室外側下ドア枠２２３の室内側面には、長手方向に２条のホルダー２２３ａ，２２３ｂが形成されており、２条のホルダー２２３ａ，２２３ｂには、加熱により膨張する加熱膨張材が配置されている。なお、加熱膨張材は、上ドア枠２１と同様に、２条のホルダー２２３ａ，２２３ｂ間にさらに配置してもよい。
【００２３】
下ドア枠２２の室外側に、網戸４の網戸下枠４２が配置されている。網戸下枠４２は、中矩形状を有し、室内側面には、下ドア枠本体２２１の下方室外側面に対向するように加熱膨張材が配置されている。
【００２４】
障子３の下框３２は、アルミ合金等の金属材料からなり中空部を有する室外側下框３２１と、樹脂材料からなり中空部を有する室内側下框３２２と、アルミ合金等の金属材料からなり室外側下框３２１の室外側上面に取り付けられる押縁３２３とを有しており、室外側下框３２１の中空部内にはスチール等の金属材料からなる補強部材が配置されている。
室外側下框３２１の外周側（下方）には、下ドア枠２２に設けられたガイドローラ２２ａを案内する案内溝が形成されており、下框３２の内周にはパネル３５を保持するパネル間口が形成されている。
パネル間口内には、室内側下框３２２の内周面を覆うステンレス等の金属材料からなる補強部材が室外側下框３２１及び室外側下框３２１の中空部内に配置された補強部材にビス等により固定されて配置されている。
【００２５】
−左辺部分−
本実施形態の建具の左辺部分について、図６を参考に、以下に説明する。
左竪枠１３の室外側枠材１３１の内周面にヒンジ１ａが固定されている。また、左竪枠１３の室内側枠材１３２の室外側面には、ドア２の左竪ドア枠２３の室内側面に当接する気密材が取り付けられており、気密材の外周側位置から室内側枠材１３２の内周は、室外側部材に１３１にビス等で固定されたステンレス等の金属材料からなる補強部材によって覆われている。
【００２６】
ドア２の左竪ドア枠２３は、アルミ合金等の金属材料からなり中空部を有する左竪ドア枠本体２３１と、樹脂材料からなり中空部を有し左竪ドア枠本体２３１の室内側に取り付けられる室内側左竪ドア枠２３２とを備えており、左竪ドア枠本体２３１の中空部内には、スチール等の金属材料からなる補強部材が配置されるとともに、補強部材の内周面に加熱膨張材が設けられている。
左竪ドア枠本体２３１は、外周面に左竪枠１３に固定されたヒンジ１ａが固定され、枠体１に対してドア２を開閉自在に支持している。
【００２７】
左竪ドア枠２３の内周面は、障子３の閉鎖時に左竪框３３を受け入れる溝部が形成されており、溝部には、引寄片が設けられているとともに、加熱膨張材が配置され、溝部の室内側壁及び室外側壁に障子３の左竪框３３に当接する気密材がそれぞれ設けられている。
左竪ドア枠２３の室内側面には、障子３の閉鎖状態を維持するロック部材２３ａが配置されている。
また、左竪ドア枠２３の室外側に、網戸４の網戸左竪枠４３が配置されている。
【００２８】
障子３の左竪框３３は、アルミ合金等の金属材料からなり中空部を有する室外側左竪框３３１と、樹脂材料からなり中空部を有する室内側左竪框３３２と、アルミ合金等の金属材料からなり室外側左竪框３３１の室外側内周面に取り付けられる押縁３３３を有している。
室外側左竪框３３１の外周には、左竪ドア枠２３に設けられた引寄片に当接する引寄部材及び加熱膨張材が配置されており、中空部内には、スチール等の金属材料からなる補強部材が配置されている。
【００２９】
室内側左竪框３３２の室内側面には、左竪ドア枠２３の室内側面に配置されたロック部材２３ａが係合する被ロック部３３ａが設けられており、被ロック部３３ａ材の内周側に障子３を開閉する際などに把持する把持部３３ｂが設けられている。また、左竪框３３の内周にはパネル３５を保持するパネル間口が形成されており、パネル間口内には、室内側左竪框３３２の内周面を覆うステンレス等の金属材料からなる補強部材が室外側左竪框３３１及び室外側左竪框３３１の中空部内に配置された補強部材にビス等で固定されて配置されている。
【００３０】
−右辺部分−
本実施形態の建具の右辺部分について、図７を参考に、以下に説明する。
右竪枠１４の室内側枠材１４２の室外側面には、ドア２の右竪ドア枠２４の室内側面に当接する気密材が取り付けられており、気密材の外周側位置から室内側枠材１４２の内周は、室外側枠材に１４１に固定されたステンレス等の金属材料からなる補強部材によって覆われている。
【００３１】
ドア２の右竪ドア枠２４は、中空部を有する右竪ドア枠本体２４１と、右竪ドア枠本体２４１の室内側に取り付けられた室内側右竪ドア枠２４２と、右竪ドア枠本体２４１の室外側に取り付けられた室外側右竪ドア枠２４３を備えている。
右竪ドア枠本体２４１は、アルミ合金等の金属材料からなり外周端に煙返しが形成され、煙返しの室内側面に加熱膨張材が配置されている。また、右竪ドア枠本体２４１の中空部内には、スチール等の金属材料からなる補強部材及び加熱膨張材が配置されている。また、右竪ドア枠本体２４１にハンドル２４ａが設けられ、右竪ドア枠本体２４１の外周面に右竪枠１４に当接する気密材が取り付けられている。
【００３２】
室内側右竪ドア枠２４２は、合成樹脂等からなり中空部を有しており、右竪ドア枠本体２４１の室内側面を覆うように配置されている。
そして、室内側右竪ドア枠２４２の内周側に連続して室内側壁部材６２設けられており、室内側壁部材６２の外周が右竪ドア枠本体２４１及び室内側右竪ドア枠２４２の内周面に固定されている。
また、右竪ドア枠本体２４１の内周面及び室外側右竪ドア枠２４３の室内側面にステンレス等の金属材料からなり断面略Ｌ字状の取付金具６１が固定されており、取付金具６１には室外側右竪ドア枠２４３の内周面に配置された室外側壁補強部材（補強部材）６３が固定されている。
右竪ドア枠２４の室外側右竪ドア枠２４３の内周側であって室外側壁補強部材６３の室外側に、右竪網戸枠を兼ねる合成樹脂からなる室外側壁部材６４が配置されており、右竪ドア枠本体２４１、室内側右竪ドア枠２４２、室外側右竪ドア枠２４３、室内側壁部材６２、室外側壁補強部材６３及び室外側壁部材６４によって戸袋６を有する右竪ドア枠２４が形成されている。
【００３３】
障子３の右竪框３４は、金属材料からなり中空部を有する室外側右竪框３４１と、樹脂材料からなり中空部を有する室内側右竪框３４２とを有しており、室外側右竪框３４１の中空部内には、スチール等の金属材料からなる補強部材が配置されている。
右竪框３４の内周にはパネル３５を保持するパネル間口が形成されており、パネル間口内には、室内側右竪框３４２の内周面を覆うステンレス等の金属材料からなる補強部材が室外側右竪框３４１及び室外側右竪框３４１の中空部内に配置された補強部材にビス等により固定されて配置されている。
【００３４】
−戸袋の構成−
内周に戸袋６を有する右竪ドア枠２４について、さらに説明する。
右竪ドア枠２４の室内側右竪ドア枠２４２の内周側に設けられ、戸袋６の室内側の見付壁を構成する室内側壁部材６２は、合成樹脂からなる内部材６２１および外部材６２２を有している。
室内側壁部材６２は、外部材６２２の外周の固定部が右竪ドア枠本体２４１にビス等により固定され、室内側右竪ドア枠２４２に係合することで室内側右竪ドア枠２４２の内周側に配置される。なお、外部材６２２の外周の固定部を右竪ドア枠本体２４１の中空部内に配置された補強部材にネジ等で固定されることにより、さらに強固に固定することができる。
外部材６２２は、複数の中空部を備えており、内周側に障子３の右竪框３４の室内側面に設けられた煙返し片３４ａと協働して煙返しを形成する煙返し片６２２ａを有している。
【００３５】
また、内部材６２１は、複数の中空部を備えており、外部材６２２の室内側面を覆うように配置されネジ等により連結されることで、見込み方向に複数の中空部が積層された室内側壁部材６２が形成されている。
そして、右竪ドア枠２４の室内側の見付壁が、合成樹脂製で複数の中空部を備える室内側壁部材６２によって構成されることで、戸袋６からの室内側への冷熱の伝達を抑止して、断熱性を向上させている。
【００３６】
一方、戸袋６の室外側の見付壁は、アルミ合金等の金属材料からなる室外側右竪ドア枠２４３と樹脂材料からなる室外側壁部材６４を有しており、室外側壁部材６４の室内側面が室外側壁補強部材６３によって覆われている。
室外側壁補強部材６３は、断面略Ｌ字状の複数の取付金具６１によって右竪ドア枠２４に固定されている。図８に示すように、断面略Ｌ字状の取付金具６１は、右竪ドア枠本体２４１の内周面及び室外側右竪ドア枠２４３の室内側面にネジｂ１、ｂ２等により固定されており、取付金具６１の内周側にネジｂ３等により室外側壁補強部材６３が固定されている。取付金具６１は、短尺で右竪ドア枠２４の長手方向にそって複数個所に設けられている。なお、取付金具６１を右竪ドア枠本体２４１の中空部内に配置された補強部材にネジ等で固定されることにより、さらに強固に固定することができる。
【００３７】
室外側壁補強部材６３は、アルミ合金等の金属材料からなり、障子３の右竪框３４の室外側面に設けられた煙返し片３４ｂと協働して煙返しを形成する煙返し片６３ａと、中空部６３ｂと、中空部の外周側に連設された固定部６３ｃと、を有している。
室外側壁補強部材６３の室内側面及び室外側面には、ステンレス等の金属材料からなる第１副補強部材６３１及び第２副補強部材６３２が配置されており、室外側壁補強部材６３の特に煙返し片６３ａ部分の強度を向上させている。
具体的には、第１副補強部材６３１は室外側壁補強部材６３の室内側面及び煙返し片６３ａ部分の一部の内側(外周側)面を覆うように配置され、第２副補強部材６３２は、室外側壁補強部材６３の内周側室外側面、煙返し片６３ａ部分の外側（内周側）面及び室内側面を覆うように配置されている。
【００３８】
そして、室内側面に配置された第１副補強部材６３１に、煙返し片６３ａに対向するように加熱膨張材ｆ１が配置されているとともに、室外側壁補強部材６３の中空部６３ｂの室外側面に加熱膨張材ｆ２が配置されている。
さらに、固定部６３ｃの室外側面に加熱膨張材ｆ３が配置されている。
【００３９】
一方、障子３の右竪框３４は、室外側の煙返し片３４ｂの室外側面を覆うようにステンレス等の金属材料からなる補強部材が配置されているとともに、補強部材に加熱膨張材ｆ４が配置されている。また、パネル間口の内面にステンレス等の金属材料からなる補強部材が配置されている。  
【００４０】
以上の本実施形態の建具においては、以下のような効果を奏することができる。
戸袋６を備える右竪ドア枠２４は、室内側に合成樹脂製の室内側右竪ドア枠２４２及び室内側壁部材６２を配置することで高い断熱性能を維持するとともに、室外側の室外側壁部材６４の室内側を覆うように金属材料からなる室外側壁補強部材６３を配置することにより、火災時に戸袋６部分における室内外の連通を抑制して耐火性能を向上させることができる。
【００４１】
そして、室外側壁補強部材６３は、金属材料からなる取付金具６１を介して右竪ドア枠２４に固定されているので、奥行きのある戸袋６の外周面に容易かつ強固に固定することができ、取付金具６１が右竪ドア枠２４の見込壁である右竪ドア枠本体２４１の内周面に固定されることで、比較的火炎の影響を受け難い部位で室外側壁補強部材６３を支持することができ火災時の室外側壁補強部材６３の脱落を抑制することができる。なお、取付金具６１の右竪ドア枠２４への固定は、右竪ドア枠本体２４１の内周面に対する固定だけでもよいが、取付金具６１を右竪ドア枠本体２４１の内周面及び室外側右竪ドア枠２４３の室内側面に固定することで、略Ｌ字状の取付金具６１によって右竪ドア枠本体２４１と室外側右竪ドア枠２４３との連結を補強することができ、戸袋６の強度を高めることができる。
【００４２】
また、室外側壁補強部材６３は、右竪ドア枠２４の長手方向ほぼ全長に亘って設けられ、内周に煙返し片６３ａが一体的に形成されているので、室外側壁補強部材６３を設けることで戸袋６の室外側の耐火性能の向上と共に煙返しの形成を容易に行うことができる。さらに、室外側壁補強部材６３の室内側および／または室外側を覆うようにステンレス等の金属材料からなる副補強部材を設けることで、比較的熱に強く剛性の高い煙返し片を形成することができる。
【００４３】
また、室外側壁補強部材６３の室内側面に障子３の煙返し片と協働して形成される煙返しに向かって膨張するように加熱膨張材ｆ１が配置され、また、障子３の右竪框３４の煙返し片近傍に加熱膨張材ｆ４が配置されているので、火災時に、膨張材によって煙返し部を覆い火炎や煙の侵入を防止することができる。
【００４４】
また、室外側壁補強部材６３の中空部６３ｂの室外側及び固定部６３ｃの室外側に加熱膨張材ｆ２，ｆ３が配置されているので、火災時には膨張した加熱膨張材ｆ２によって戸袋６の室外側を覆い、火炎等による戸袋６の室外側壁部の変形を抑制することができるとともに、室外側右竪ドア枠２４３が変形した場合でも、図９に示すように、加熱膨張材ｆ３によって室外側壁補強部材６３と室外側右竪ドア枠２４３との間を塞ぐことができ、火災の延焼を抑制することができる。
【００４５】
なお、上記の実施形態においては、戸袋６の室外側に金属製の補強部材６３が取付金具６１によって設けられているが、戸袋６の室内側の見付壁である室内側壁部材６２の室外側面に金属製の補強部材を配置してもよく、さらには、補強部材を室内側と室外側の両側の見付壁に配置してもよい。また、金属製の室外側壁補強部材６３によって覆う戸袋６の部分に限定はなく、見付壁のうち火炎に対して弱い部分を覆うだけでもよいし、全体を覆うように構成してもよい。
なお、本実施形態における金属材料からなる補強部材は、被補強部材よりも火炎や熱に対して耐性が高ければよく、その材料は限定されるものではない。なお、使用者の目につくところに配置される補強部材は、さびにくいステンレス等の金属材料により形成した補強部材を用いることが好ましい。
また、上記実施形態においては、ドア２に設けられた開口部を覆う障子３の一部を収容するように戸袋が形成されているが、上記実施形態に限定されるものではなく、直接建物に戸袋が設けられていても良く、障子の全体を収容する戸袋であってもよい。
すなわち、上記実施形態の建具の例は一例であって、本発明の建具はドアに限るものではなく、建具の種類は何ら限定されるものではない。
【符号の説明】
【００４６】
１        ：枠体
２        ：ドア
３        ：障子
６        ：戸袋
７        ：採風開口部
２４      ：右竪ドア枠
３４      ：右竪框
３４ａ    ：煙返し片
３４ｂ    ：煙返し片
６１      ：取付金具
６２      ：室内側壁部材
６３      ：室外側壁補強部材
６３ａ    ：煙返し片
６３ｂ    ：中空部
６３ｃ    ：固定部
６４      ：室外側壁部材
２４１    ：右竪ドア枠本体
２４２    ：室内側右竪ドア枠
２４３    ：室外側右竪ドア枠
３４１    ：室外側右竪框
３４２    ：室内側右竪框
６２１    ：内部材
６２２    ：外部材
６２２ａ  ：煙返し片
６３１    ：第１副補強部材
６３２    ：第２副補強部材
ｆ１      ：加熱膨張材
ｆ２      ：加熱膨張材
ｆ３      ：加熱膨張材
ｆ４      ：加熱膨張材
【図１】
2019151980.tif 000003
【図２】
2019151980.tif 000004
【図３】
2019151980.tif 000005
【図４】
2019151980.tif 000006
【図５】
2019151980.tif 000007
【図６】
2019151980.tif 000008
【図７】
2019151980.tif 000009
【図８】
2019151980.tif 000010
【図９】
2019151980.tif 000011